(57)【要約】【課題】解錠時の操作回数を少なくした扉施錠装置を提供する。【解決手段】複数の正の操作ボタン１３と複数の誤の操作ボタン１４とを備え、係止レバー８の係止爪部８ａが本体部２の係止金具２２に係止した施錠状態において正の全ての操作ボタン１３が押し込まれたときにローター９が回転して本体部２の係止金具２２に対する係止レバー８の係止が解除されるように構成した。【選択図】図８
2010270540.tif 000002
【特許請求の範囲】
【請求項１】
収納ボックスの本体部の前端開口部において本体部の一側部に一側部が蝶番により枢着された扉の他側部側に取り付けられる収納ボックスの扉施錠装置であって、施錠装置は筒状の形に作られ一端側に大径部が一体に形成された本体と、この本体の他端側の底部内において本体の軸芯方向に対して直角に向くピンにより枢支され一端の係止爪部が本体から外方に突出する係止レバーと、本体内に位置する係止レバーの他端側に当接離脱するように前記本体内に本体と同一軸芯の周りで回転可能に嵌入されるローターと、前記本体の一端側の大径部内に円筒部が本体と同一軸芯の周りで回転可能に嵌入され且つ円筒部から両側に張り出すアーム部が前記大径部の端面に当接して先端摘み部が大径部の外周から突出するロックレバーと、このロックレバーの円筒部内面に係合可能な多数の操作ボタンと、この操作ボタンを覆うとともに前記ロックレバーのアーム部を前記大径部の端面との間で挟み操作ボタンの頭部を突出させる孔部が形成されたカバーとからなり、前記操作ボタンは複数の正の操作ボタンと複数の誤の操作ボタンとからなり、前記係止レバーの係止爪部が前記本体部の係止金具に係止した施錠状態において正の全ての操作ボタンが押し込まれたときにローターが回転して本体部の係止金具に対する係止レバーの係止が解除されるように構成したことを特徴とする収納ボックスの扉施錠装置。
【発明の詳細な説明】
【技術分野】
【０００１】
本発明は、例えばマンションなどの集合住宅に設けられる各戸に対応するレターボックスなどの収納ボックスに設けられる扉施錠装置に関するものである。
【背景技術】
【０００２】
従来のこの種施錠装置としては、例えば特許文献１に開示されているように、ウィングの外側面に固定された円筒状のノブ本体と、このノブ本体の突端面に出退自在に設けられた複数の解錠用及び非解錠用の押しボタンと、前記ノブ本体の外周部に回動自在に套嵌され、かつ、前記解錠用の押しボタンがすべて押し操作された時に解錠方向への回動が可能となっているノブ操作体と、前記ノブ操作体を解錠方向と逆方向に回動させると押し操作されていたすべての前記押しボタンを元の非操作状態にリセットさせるリセット手段とを備えてなるものが知られている。
【先行技術文献】
【特許文献】
【０００３】
【特許文献１】特許第３１３６２７１号公報
【発明の概要】
【発明が解決しようとする課題】
【０００４】
上記従来の施錠装置の構成では、解錠用の押しボタンをすべて押し操作し、その後ノブ操作体を解錠方向へ回動させるという操作が必要であり、操作回数が多いという課題があった。
【０００５】
本発明の目的は、このような課題を解決するものであり、上記従来の施錠装置に比べて操作回数を少なくした扉施錠装置を提供することにある。
【課題を解決するための手段】
【０００６】
本発明の請求項１に記載の収納ボックスの扉施錠装置は、収納ボックスの本体部の前端開口部において本体部の一側部に一側部が蝶番により枢着された扉の他側部側に取り付けられる収納ボックスの扉施錠装置であって、施錠装置は筒状の形に作られ一端側に大径部が一体に形成された本体と、この本体の他端側の底部内において本体の軸芯方向に対して直角に向くピンにより枢支され一端の係止爪部が本体から外方に突出する係止レバーと、本体内に位置する係止レバーの他端側に当接離脱するように前記本体内に本体と同一軸芯の周りで回転可能に嵌入されるローターと、前記本体の一端側の大径部内に円筒部が本体と同一軸芯の周りで回転可能に嵌入され且つ円筒部から両側に張り出すアーム部が前記大径部の端面に当接して先端摘み部が大径部の外周から突出するロックレバーと、このロックレバーの円筒部内面に係合可能な多数の操作ボタンと、この操作ボタンを覆うとともに前記ロックレバーのアーム部を前記大径部の端面との間で挟み操作ボタンの頭部を突出させる孔部が形成されたカバーとからなり、前記操作ボタンは複数の正の操作ボタンと複数の誤の操作ボタンとからなり、前記係止レバーの係止爪部が前記本体部の係止金具に係止した施錠状態において正の全ての操作ボタンが押し込まれたときにローターが回転して本体部の係止金具に対する係止レバーの係止が解除されるように構成したことを特徴とする。
【発明の効果】
【０００７】
以上のように、本発明の収納ボックスの扉施錠装置は、解錠の際、正の全ての操作ボタンが押し込まれることにより係止レバーを係止状態で止めていたローターが回転し、本体部の係止金具に対する係止レバーの係止を解除することができ、解錠時の操作回数を少なくした扉施錠装置を提供することができる。
【図面の簡単な説明】
【０００８】
【図１】本発明の一実施の形態における収納ボックスの扉施錠装置の分解斜視図である。
【図２】同施錠装置本体の平面図である。
【図３】同ローターの平面図である。
【図４】同ロックレバーの平面図である。
【図５】同ロックレバーの断面図である。
【図６】同扉施錠装置の係止レバーが本体部の係止金具に係止した状態を示す断面図である。
【図７】図６のＸ−Ｘ矢視図である。
【図８】同扉施錠装置の係止レバーが本体部の係止金具から外れた状態を示す断面図である。
【図９】図８のＹ−Ｙ矢視図である。
【図１０】同扉施錠装置をリセットするためにロックレバーを回転させた状態を示す説明図である。
【発明を実施するための形態】
【０００９】
以下、本発明の一実施の形態を、図１〜図１０を用いて具体的に説明する。
図において、１はマンションなどの集合住宅に設けられる各戸に対応するレターボックスなどの収納ボックスで、この収納ボックス１の本体部２の前端開口部は本体部２の一側部に一側部が蝶番により枢着された扉３により開閉自在となっている。４は前記扉３の他側部側に取り付けられる施錠装置で、この施錠装置４は筒状の形に作られ一端側に大径部５が一体に形成された本体６と、この本体６の他端側の底部内において本体６の軸芯方向に対して直角に向くピン７により枢支され一端の係止爪部８ａが本体６から外方に突出する係止レバー８と、本体６内に位置する係止レバー８の他端側に当接離脱するように前記本体６内に本体６と同一軸芯の周りで回転可能に嵌入されるローター９と、前記本体６の一端側の大径部５内に中央の円筒部１０が本体６と同一軸芯の周りで回転可能に嵌入され且つ円筒部１０から両側に張り出すアーム部１１，１１が前記大径部５の端面に当接して先端摘み部１１ａ，１１ａが大径部５の外周から突出するロックレバー１２と、このロックレバー１２の円筒部１０内面に係合可能な２種類の操作ボタン１３，１４と、この操作ボタン１３，１４を覆うとともに前記ロックレバー１２のアーム部１１，１１を前記大径部５の端面との間で挟み操作ボタン１３，１４の頭部を突出させる孔部１５ａが形成されたカバー１５とで構成されている。
【００１０】
さらに詳しくは、前記ローター９は軸芯方向の一端を除く外面が前記本体６の内面に摺設可能に本体６内に嵌入されるように構成され、またこのローター９は軸芯方向一端側より軸芯方向のほぼ半分が筒状に形成され、軸芯方向の残りのほぼ半分がほぼ中実で、この中実部９ａにはローター９の径方向の中心を通る線上で中実部９ａをローター９の軸芯方向に貫通する溝９ｂが形成されて前記係止レバー８の係止解除時に係止レバー８の他端側を嵌入させるように構成され、また前記ローター９の軸芯方向一端近傍における外周面には対向する２箇所で段差が形成されるように膨らみ部９ｃ，９ｃを備え、さらにローター９の軸芯方向一端における外面１箇所にローター９を係止レバー８の係止解除側に付勢するばね１６の一端を受けるばね受け部９ｄが形成されている。なお、ばね１６の他端は前記本体６の大径部５内に設けたばね受け部５ａで受けられるように構成されている。さらに、ローター９の軸芯方向一端側内面には前記２種類の操作ボタン１３，１４に対して係脱する係止部９ｅ，９ｆが４つづつ周方向に等ピッチで形成されている。さらに、係止レバー８自体は、係止レバー８の他端側を前記溝９ｂ側に嵌入させる方向にばね１７により付勢されている。
【００１１】
次に、前記ロックレバー１２はアーム部１１，１１が円筒部１０の軸芯方向一端側で両側に張り出すように形成され、且つ円筒部１０の軸芯方向一端側内面には前記操作ボタン１３，１４が押し込まれたときに操作ボタン１３，１４の弾性爪片１３ａ，１４ａを係止させる係止部１０ａが周方向８箇所の位置に等ピッチで形成され、また円筒部１０の軸芯方向他端側内面には前記ローター９が前記本体６から抜け出ないようにするために前記ローター９の膨らみ部９ｃ，９ｃに係止する係止部１０ｂ，１０ｃが形成されている。そして、一方の係止部１０ｂの一端にはロックレバー１２を通常の位置側に付勢するばね１８の一端を受けるばね受け部１０ｄが形成されている。なお、ばね１８の他端は前記本体６の大径部５内に設けたばね受け部５ｂで受けられるように構成されている。
【００１２】
次に、前記２種類の操作ボタン１３，１４について説明すると、２種類の操作ボタン１３，１４の内、一方の操作ボタン１３は解錠時の正の操作ボタンであり、他方の操作ボタン１４は解錠時の誤の操作ボタンであって、それぞれ４つづつ備わっている。そして、全てに共通するところは頭部１３ｂ，１４ｂが同じであること、弾性爪片１３ａ，１４ａが同じであること、カバー１５の孔部１５ａから頭部１３ｂ，１４ｂが抜け出ないようにカバー１５の内面に当接するストッパー１３ｃ，１４ｃが同じであること、さらに操作ボタン１３，１４を押し戻す方向に付勢するためのばね１９を案内する軸１３ｄ，１４ｄが設けられていることである。そして、４つの正の操作ボタン１３と４つの誤の操作ボタン１４とを比べて異なるところは、施錠時、つまり前記係止レバー８の係止状態時において、４つの正の操作ボタン１３の係止爪片１３ｅは先端側部が前記ローター９の４つの係止部９ｅの側面に当接し、且つ解錠時、つまり操作ボタン１３を押したときに係止爪片１３ｅの凹部１３ｅ´がローター９の係止部９ｅの位置に来てローター９の係止を解除しローター９を前記ばね１６力により前記ばね受け部９ｄの背面が前記ロックレバー１２の他方の係止部１０ｃの端面に当接するまで係止解除側に回転させ得るように構成されている。これに対して、誤の操作ボタン１４の係止爪片１４ｅは施錠時においてローター９の残りの４つの係止部９ｆの側面に当接しないように先端側より切り欠き部１４ｅ´が形成されており、且つ解錠時、つまり操作ボタン１４を押したときに係止爪片１４ｅがローター９の係止部９ｆの側面に当接してローター９が係止解除側に回転しようとするのを不可能にするものである。即ち、４つの正の操作ボタン１３を順序を決めることなく全てを押し込むことによってローター９は係止解除側に回転するようになり、誤の操作ボタン１４を１つでも押すとローター９は係止解除側に回転できなくなる。
【００１３】
なお、前記操作ボタン１３，１４を押し戻す方向に付勢するばね１９の一端は前記ストッパー１３ｃ，１４ｃの裏面に当接し、ばね１９の他端は前記ロックレバー１２の軸芯方向他端側底部で回り止め状態で受けられるばね受け板２０に当接して支持されている。２１は前記操作ボタン１３，１４の頭部１３ｂ，１４ｂを覆うキャップであり、カバー１５の孔部１５ａに嵌入している。そして、キャップ２１の表面には正の操作ボタン１３に対しては奇数の数字が、誤の操作ボタン１７に対しては偶数の数字がそれぞれ順番に印されている。
【００１４】
さらに、前記収納ボックス１の本体部２の前端開口部の他側部内面には扉３を閉じたときに前記係止レバー８の係止爪部８ａが係止可能にする係止金具２２が取り付けられている。
【００１５】
上記構成において、施錠状態のときは図６に示すように扉３の施錠装置４の係止レバー８の係止爪部８ａは本体部２の係止金具２２に係止状態にあり、且つ係止レバー８の他端側がローター９の他端面に当接した状態にあり、この状態から扉３の施錠状態を解除する場合は図８に示すように正の全ての操作ボタン１３を順序を決めることなく押し込むことによって前述のようにローター９は係止解除側に回転するようになり、係止レバー８の他端側がローター９の溝９ｂに嵌入し、係止レバー８の係止爪部８ａは本体部２の係止金具２２から外れることになる。そして、この状態から扉３を閉じて施錠する場合は、つまりリセットする場合は、扉３を閉じることにより係止レバー８の係止爪部８ａが本体部２の係止金具２２に当接して係止する方向に回動するとともに係止レバー８の他端側がローター９の溝９ｂから抜け出ることになり、扉３を閉じる方向に押した状態で、前記ロックレバー１２を図１０に示すように前記ばね１８力に抗して２２．５度回転させることにより前記ばね受け部９ｄの背面が前記ロックレバー１２の他方の係止部１０ｃの端面に当接した状態でローター９を図１０，図６の施錠状態まで回転させ、これと同時に正の全ての操作ボタン１３がばね１９力により押す前の状態に復帰することになる。これにより、ローター９には正の操作ボタン１３が係止した状態となり、ローター９の回転が止められ、かかる状態でロックレバー１２を２２．５度逆方向に回転させることによりロックレバー１２は解錠前の状態となる。
【００１６】
ところで、上記した実施の形態では８つの操作ボタン１３，１４を備え、その内４つを正の操作ボタン１３とし、残りを誤の操作ボタン１４としたが、操作ボタンの数は８つに限らず、６つや５つなどであっても良く、その内、正の操作ボタンを複数備えるようにすれば良い。
【産業上の利用可能性】
【００１７】
本発明の収納ボックスの施錠装置は、例えばマンションなどの集合住宅に設けられる各戸に対応するレターボックスなどの収納ボックスに設けられる施錠装置である。
【符号の説明】
【００１８】
１                      収納ボックス
２                      本体部
３                      扉
４                      施錠装置
５                      大径部
５ａ，５ｂ              ばね受け部
６                      本体
７                      ピン
８                      係止レバー
８ａ                    係止爪部
９                      ローター
９ａ                    中実部
９ｂ                    溝
９ｃ                    膨らみ部
９ｄ                    ばね受け部
９ｅ，９ｆ              係止部
１０                      円筒部
１０ａ，１０ｂ，１０ｃ    係止部
１０ｄ                    ばね受け部
１１                      アーム部
１１ａ                    先端摘み部
１２                      ロックレバー
１３，１４                操作ボタン
１３ａ，１４ａ            弾性爪片
１３ｂ，１４ｂ            頭部
１３ｃ，１４ｃ            ストッパー
１３ｄ，１４ｄ            軸
１３ｅ，１４ｅ            係止爪片
１３ｅ´                  凹部
１４ｅ´                  切り欠き部
１５                      カバー
１５ａ                    孔部
１６，１７，１８，１９    ばね
２０                      ばね受け板
２１                      キャップ
２２                      係止金具
【図１】
2010270540.tif 000003
【図２】
2010270540.tif 000004
【図３】
2010270540.tif 000005
【図４】
2010270540.tif 000006
【図５】
2010270540.tif 000007
【図６】
2010270540.tif 000008
【図７】
2010270540.tif 000009
【図８】
2010270540.tif 000010
【図９】
2010270540.tif 000011
【図１０】
2010270540.tif 000012